(57)【要約】      （修正有）【課題】ファスナー頭部発光構造の提供。【解決手段】一種のファスナー頭部１発光構造に関わるもので、ファスナー帯１３に設ける自在に滑り移動可能な滑り移動部材１０を有し、この滑り移動部材に牽引片３０を設け、この滑り移動部材の内部または牽引片の内部に発光装置２０を設けて、この発光装置に少なくとも一つの発光素子を設け、この発光素子に電源を提供する電池２３と少なくとも一つのスイッチ２４を設けて、このスイッチにより発光素子を制御し、発光または点滅発光させ、かつ、この発光装置の光源は滑り移動部材または牽引片より出射し、装飾性、変化性および警告性などの実施効果を実現する。【選択図】図３
0003119123.tif 000002
【実用新案登録請求の範囲】
【請求項１】
ファスナー帯に設けて、ファスナーを開閉する滑り移動部材、該滑り移動部材を牽引する牽引片および発光装置を包含し、そのうち、該発光装置に発光素子を設け、該発光素子に電気を供給する電池、および電池との電気回路の導通または切断を制御するスイッチを設け、発光素子を発光させたとき、光源はファスナー頭部の真正面より外部に出射し、点灯または点滅点灯効果を実現する一種の発光ファスナー頭部構造。
【請求項２】
前記牽引片内部に発光装置を取り付けるための収容溝を設け、牽引片は少なくとも一部の透光区域を形成し、発光素子を発光させたとき、光源は牽引片の透光区域から外部に出射できることを特徴とする請求項１記載の発光ファスナー頭部構造。
【請求項３】
前記滑り移動部材の内部に発光装置を取り付けるための収容溝を設け、滑り移動部材は少なくとも一部の透光区域を形成し、発光素子を発光させたとき、光源は滑り移動部材の透光区域から外部に出射できることを特徴とする請求項２記載の発光ファスナー頭部構造。
【考案の詳細な説明】
【技術分野】
【０００１】
本考案は一種のファスナー頭部発光構造、特に一種の制御を受けて、発光または点滅発光するファスナー頭部に関わるものである。
【背景技術】
【０００２】
通常のファスナーは縦方向に対となるファスナー帯とファスナー頭部を設ける。そのうち、ファスナー帯の内周面は相互に噛み合わせるファスナー歯形を設け、ファスナー頭部はあおの内周面に設けるファスナー歯形を往復に牽引することにより、ファスナーを開閉できる。さらに、ファスナー頭部は一般として、滑り移動部材とこの滑り移動部材を牽引する牽引が設けられている。
【０００３】
公知のファスナーは、単純な接続用途しかなく、装飾性を欠ける。特に衣服類、革物、または鞄に使用するときは、単純すぎる感覚を与えてします。そして、ファッションを追求する若者たちにとって、新規性と変化性を見いだせない。
【考案の開示】
【考案が解決しようとする課題】
【０００４】
本考案の目的は、一種のファスナー頭部発光構造を提供し、このファスナー頭部は制御を受けて発光または点滅発光できるため、このようなファスナー頭部に装飾性、新規性と変化性を実現する。
【０００５】
本考案は前記の目的を達成の主な技術手段は、ファスナー帯に設ける自在に滑り移動可能な滑り移動部材を設け、該滑り移動部材の上に牽引片を設ける。さらに、該滑り移動部材の内部または牽引片の内部に発光装置を設け、該発光装置は滑り移動部材または牽引片より光源を出射し、ファスナー頭部の発光効果を実現する。
【課題を解決するための手段】
【０００６】
請求項１の考案は、ファスナー帯に設けて、ファスナーを開閉する滑り移動部材、該滑り移動部材を牽引する牽引片および発光装置を包含し、そのうち、発光装置に発光素子を設け、該発光素子に電気を供給する電池、および電池との電気回路の導通または切断を制御するスイッチを設け、発光素子を発光させたとき、光源はファスナー頭部の真正面より外部に出射し、点灯または点滅点灯効果を実現する一種の発光ファスナー頭部構造としている。
請求項２の考案は、牽引片内部に発光装置を取り付けるための収容溝を設け、牽引片は少なくとも一部の透光区域を形成し、発光素子を発光させたとき、光源は牽引片の透光区域から外部に出射できることを特徴とする請求項１記載の発光ファスナー頭部構造としている。
請求項３の考案は、滑り移動部材の内部に発光装置を取り付けるための収容溝を設け、滑り移動部材は少なくとも一部の透光区域を形成し、発光素子を発光させたとき、光源は滑り移動部材の透光区域から外部に出射できることを特徴とする請求項２記載の発光ファスナー頭部構造としている。
【考案の効果】
【０００７】
本考案は、一種のファスナー頭部発光構造を提供し、ファスナー頭部は制御を受けて発光または点滅発光できるため、このようなファスナー頭部に装飾性、新規性と変化性を実現する。
【考案を実施するための最良の形態】
【０００８】
本考案は様々な構造で実施することができる。以下に実施例と図式を合わせて詳細説明する。ただし、これはあくまでも例示であって、本考案を制限に与えるものではない。
【実施例１】
【０００９】
図１から図４に示すものは、本考案のファスナー頭部１を一対のファスナー帯１３中間部に設け各ファスナー帯の中間部に組み入れて、各ファスナー帯の内周面に一列のファスナー歯形１３１を設ける。ファスナー頭部１はファスナー歯形１３１に沿って、往復に牽引することにより、ファスナーを開閉できる。
【００１０】
本実施例において、ファスナー頭部１に滑り移動部材１０およびこの滑り移動部材１０を牽引する牽引片３０を設ける。そのうち、滑り移動部材１０の内部に収容溝１１を設け、収容溝１１は保護蓋１２によって被せる。さらに、発光装置２０を収容溝１１に設け、発光装置２０は一つ以上の発光素子２１を設けて、発光素子２１に電源を提供する電池２３および一つ以上のスイッチ２４を設ける。本実施例において、発光素子２１、電池２３およびスイッチ２４は電子回路板２２上に組み立てる。
【００１１】
前記の滑り移動部材１０は透光性部材または一部の透光区域を設ける。発光素子２１は発光ダイオード（ＬＥＤ）を用いるか、または様々な色の光源あるいは点滅光源を出射する光源を設ける。スイッチ２４はタッチスイッチ、光感知スイッチまたは切換スイッチを使用し、発光素子２１と電池２３との導通または切断を制御する。
【００１２】
図５に示すものは、発光素子２１は制御を受けて発光した後、その光源は滑り移動部材１０の透光区域より、真正面に出射できるため、ファスナー頭部１に輝き効果を実現する。さらに、発光素子２１より出射する光源の色は実施物により、様々な選択ができる。また、その発光装置より出射する光源は点滅点灯または常時点灯制御できるため、装飾性、変化性と夜間使用による警告効果が得られる。
【実施例２】
【００１３】
図６、図７に示すものは、本考案の発光ファスナー頭部１の実施例２である。本実施例において、前記の実施例１に同じまたは同等な部品について、同じ符号を付けて、その詳細構造の説明を省略する。そのうち、ファスナー頭部１の牽引片３０内部に収容溝３１を設け収容溝３１は保護蓋３２により被せておく、さらに、発光装置２０を収容溝３１に設け、発光装置２０は少なくとも一つの発光素子２１、発光素子２１に電力供給する電池２３、および一つ以上のスイッチ２４を設ける。本実施例において、発光素子２１、電池とスイッチ２４は一つの電子回路板２２に組み立てる。
【００１４】
前記の牽引片３０は透光性材料を使用するか、または一部に透光区域を形成しても良い。収容溝３１内部に設ける発光素子２１は制御により発光の後、光源は牽引片３０の透光区域の真正面より出射する。図７に示すとおり、ファスナー頭部１の外向き面に輝き性と発光による装飾性を有する。
【００１５】
本考案の発光ファスナー頭部１は公知技術のファスナー頭部を衣服または鞄に実施するとき発光素子２１を制御し発光させ、輝き装飾効果が得られるため、若者たちが追求する注目性にとって、非常に大きい魅力がある。特に、夜中または照度が低い暗いところには、発光素子により安全を保護する警告灯効果がある。
【００１６】
本考案発光装置２０は滑り移動部材１０および/または牽引片３０内部に設けることができる。また、滑り移動部材１の収容溝１１または牽引片３０の収容溝３１内部に設ける発光装置２０は保護蓋１２、３２により防水対策を施すことにより、発光装置２の防水性と使用寿命を向上できる。さらに、発光装置２０は保護蓋１２、３２を取り外した後に、滑り移動部材１０または牽引片３０内部から取り外しておく、取り付けた衣服類の洗濯による発光装置２０の破損を避ける。
【００１７】
本考案の設計精神に基づき、多種類の変化または修飾による実施例が考えられる。一例として、本考案の滑り移動部材１０または牽引片３０の形状は前記実施例の形に限ることなく、滑り移動部材１０または牽引片３０の表面に孔または透明な図案を設けて、透光させることもできる。よって、本考案の構造特徴による変化または修飾された実施例はすべて本考案の請求範疇に含まれるものである。
【図面の簡単な説明】
【００１８】
【図１】本考案実施例１の平面図である。
【図２】本考案実施例１の立面図である。
【図３】本考案実施例１の分解図である。
【図４】本考案実施例１の組立断面図である。
【図５】本考案実施例１の断面図である。
【図６】本考案実施例２の分解図である。
【図７】本考案実施例２の断面図である。
【符号の説明】
【００１９】
１  ファスナー頭部        １０  滑り移動部材
１１  収容溝              １２  保護カーバー
１３  ファスナー帯        ２０  発光装置
２２  電子回路板          ２４  スイッチ
３１  収容溝              １３１  ファスナー歯形
２１  発光素子            ２３  電池
３０  牽引片              ３２  保護カーバー
【図１】
0003119123.tif 000003
【図２】
0003119123.tif 000004
【図３】
0003119123.tif 000005
【図４】
0003119123.tif 000006
【図５】
0003119123.tif 000007
【図６】
0003119123.tif 000008
【図７】
0003119123.tif 000009